【事件の表示】
　平成　７年特許願第１３０７７３号「音声合成装置」拒絶査定不服審判事件〔平成　８年１２月１３日出願公開、特開平　８−３２８５９０〕について、次のとおり審決する。
【結　論】
　本件審判の請求は、成り立たない。
【理　由】
第１　【手続きの経緯、本願発明】
　本願は、平成７年５月２９日の出願であって、その特許請求の範囲の請求項１に係る発明は、平成１３年１０月２２日付けの手続補正書により補正された明細書及び図面の記載からみて、請求項１に記載された音声合成装置に関するものであるところ、その請求項１に係る発明（以下「本願発明」という。）は次のとおりのものである。
「【請求項１】　文字情報から合成された合成音声の高低、又は継続時間に関する出力態様を、画面表示された文字の表示位置の高低、または文字の間隔に関する情報の編集によって指定することが可能な音声合成装置であって、文字情報を入力する文字情報入力部と、該文字情報を画面表示する文字表示部と、文字表示部により画面表示された文字情報を編集する文字編集部と、文字情報入力部から入力された文字情報から音声を合成する際に、文字編集部によって編集された文字情報に対応する音声を、編集内容に応じた出力態様の音声に合成する音声合成部とを備えたことを特徴とする音声合成装置。」
　　　　　　　
第２　【引用例】
　これに対して、原査定の拒絶の理由に引用された特開昭６２−２１７２９４号公報（以下「引用例」という。）には、「音声情報辞書作成方式」（発明の名称）に関し、図面と共に次の１ないし６のとおりの記載がある。
　１　「入力部（１）と表示装置（２）と画面編集部（４）とイメージ変換部（５）と登録部（６）とを具えた情報処理システムにおいて、
　前記画面編集部（４）は前記入力部（１）を介して指定された文字列（１０）を表示装置（２）に表示するとともに、前記入力部（１）からの指令に基づいて前記文字列（１０）を含む表示画面を修正・編集し、所望の音声データを対応する視覚的イメージに変換して表示し、
　前記イメージ変換部（５）は前記表示状態を対応する音声データに変換し、
　登録部（６）は前記変換された音声データを、前記入力部から指定されたキーとともに音声情報辞書（７）に登録するようにしたことを特徴とする音声情報辞書作成方式。」（特許請求の範囲）
　２　「本発明は発声させたい文節を示す文字列を表示装置上に表示し、これをオペレータが画面上で操作して、所望の音声データを対応する視覚的イメージに変換して表示し、この画面上の表示状態から音声データに変換して音声情報辞書に登録するようにしたものである。」（公報１頁右下欄３行ないし８行）
　３　「発音情報を単なる記号と数値で指定するのではなく、視覚的なイメージを利用して音の高低，アクセント位置，速さ等を画面上に表示し選択するので、実際の発音状態との対応が付けやすく、音声データの登録が容易となる。」（公報２頁右下欄６行ないし１０行）
　４　「第１図は本発明に係る音声情報辞書作成方式の構成を示す要部ブロック図で、１は入力部であって、例えばキーボード、２は表示装置、３は記憶装置で、例えば磁気ディスク装置或いはフロッピディスク装置、４は画面編集部、５はイメージ変換部、６は登録部、７は制御部、８は上記記憶装置３に格納された音声情報辞書、９は音声合成部である。
　第２図（ａ）〜（ｉ）は本発明の一実施例としての、視覚的イメージ利用による音声データ選択操作例を説明するための図である。
　本実施例では「こんにちは」という文節を所望の発音情報で登録する例を説明する。
　まず登録しようとする音声の文節を示す文字列「コンニチハ」１０を、入力部１から指定する。この文字列１０は同図（ａ）に見られるように、画面編集部４により表示装置２の画面に表示される。以後画面編集部４により、表示装置２上に各種発音情報に対応する画面表示がなされ、更にこの画面表示が入力部１を操作することにより種々変化させることができる。」（公報２頁右下欄１４行ないし３頁左上欄１６行）
　５　「次に語頭及び語尾の高低の決定を選択すると、同図（ｄ）に見られるように語頭の文字「コ」及び語尾の文字「ハ」を、シフトキーにより上下させることができる。そこでこれまた実際に発声させて確認し、同図（ｅ）に見られるように所望の語頭及び語尾の高さを選択する。」（公報３頁左下欄１１行ないし１６行）
　６　「第３図は上記音声情報辞書８の構成を示す概念図で、指定されたキー２１とともに、上述のようにして決定された文字列１０と各種発音情報２２が対応して格納されている状態を示す。
　同図に示すように発音情報２２は、すべて所定の記述形式に従って、発音情報の項目を示す記号とその度合を示す数値の組合わせにより記録されている。従って所望の音声データに対応するキー２１を指定して文字列１０と発音情報２２を読み出し、これらを音声合成部９に与えることにより、所望の音声を合成できる。なお、本実施例では英文字と数字とを組合せてキー１０を構成したが、これは一例であって、その構成は任意である。
　上述の如く本実施例では、表示装置２上に音声イメージを視覚的イメージに変換して表示し、対話形式で画面を操作して音声データを選択し、更に候補データを実際に発声させることができる。従って候補データの選択が容易であるばかりでなく、耳で聞いて確認できるので、所望の音声データを容易且つ的確に選択し、登録することが可能である。」（公報４頁左上欄１０行ないし同頁右上欄１０行）　　
　　　　　　　　　　　　　　　　
第３　【当審の判断】
　１［対比］
　本願発明と引用例に記載の発明とを対比すると、次の（１）、（２）のことが認められる。
　（１）引用例には、入力部（１）と表示装置（２）と画面編集部（４）とイメージ変換部（５）と登録部（６）とを具えた情報処理システムにおいて、前記画面編集部（４）は前記入力部（１）を介して指定された文字列（１０）を表示装置（２）に表示するとともに、前記入力部（１）からの指令に基づいて前記文字列（１０）を含む表示画面を修正・編集し、所望の音声データを対応する視覚的イメージに変換して表示し、前記イメージ変換部（５）は前記表示状態を対応する音声データに変換し、登録部（６）は前記変換された音声データを、前記入力部から指定されたキーとともに音声情報辞書（８）に登録することが記載されており（引用例の上記１の記載参照）、また登録しようとする音声の文節を示す文字列「コンニチハ」を入力部から指定することも記載されており（引用例の上記４の記載参照）、それらに記載の「入力部（１）」、「表示装置（２）」及び「画面編集部（４）」が、それぞれ本願発明の「文字情報入力部」、「文字表示部」及び「文字編集部」に相当することは明らかである。
　（２）引用例には、画面編集部により、表示装置上に各種発音情報に対応する画面表示がなされ、更にこの画面表示が入力部を操作することにより種々変化させることができること（引用例の上記１、４の記載参照）、また語頭及び語尾の高低の決定を選択すると、語頭の文字「コ」及び語尾の文字「ハ」をシフトキーにより上下させることができ、そこでこれを実際に発声させて確認し、所望の語頭及び語尾の高さを選択することができること（引用例の上記５の記載参照）、さらに発音情報は、すべて所定の記述形式に従って、発音情報の項目を示す記号とその度合いを示す数値の組合わせにより記録されており、従って所望の音声データに対応するキーを指定して文字列と発音情報を読み出し、これらを音声合成部９に与えることにより、所望の音声を合成できることが、それぞれ記載されている（引用例の上記６の記載参照）。
　これらの記載によれば、上記「音声合成部」が、本願発明でいう「文字情報入力部から入力された文字情報から音声を合成する際に、文字編集部によって編集された文字情報に対応する音声を、編集内容に応じた出力態様の音声に合成する音声合成部」に相当するものといえる。
　また、引用例に記載の発明が、「文字情報から合成された合成音声に関する出力態様を、画面表示された文字の表示位置に関する情報の編集によって指定することが可能な音声合成装置」を対象としている点でも、本願発明と変わりがない。
　　　　　　　　　　　　　　　　　　　　　
　２［一致点］　　　　
　以上の点（１）、（２）を踏まえ、本願発明の選択的記載の箇所を考慮に入れると、本願発明と引用例に記載された発明とは、
「文字情報から合成された合成音声に関する出力態様を、画面表示された文字の表示位置に関する情報の編集によって指定することが可能な音声合成装置であって、文字情報を入力する文字情報入力部と、該文字情報を画面表示する文字表示部と、文字表示部により画面表示された文字情報を編集する文字編集部と、文字情報入力部から入力された文字情報から音声を合成する際に、文字編集部によって編集された文字情報に対応する音声を、編集内容に応じた出力態様の音声に合成する音声合成部とを備えたことを特徴とする音声合成装置。」である点で一致し、次の点で一応相違する。　　　　
　　　　　　　　　　　　　　　　　　　　　　　　　　　　　　　　　
　３［相違点］
　本願発明は、文字情報から合成された合成音声の「高低」に関する出力態を、画面表示された文字の表示位置の「高低」に関する情報の編集によって指定することが可能であるのに対して、引用例に記載のものは、語頭及び語尾の文字をシフトキーにより上下させ、所望の語頭及び語尾の高さを選択する高低の２値の制御である点。
　　　　　　　　　　
　４［相違点の検討］
　そこで、上記相違点について検討する。
　引用例に記載の発明は、画面表示された文字の表示位置をシフトキーにより上下させ、これを実際に発声させて確認し、所望の高さを選択する高低２値の制御をしている（引用例の上記（４）、（５）の記載参照）。
　一方、本願の特許請求の範囲には「文字情報から合成された合成音声の高低に関する出力態様を、画面表示された文字の表示位置の高低に関する情報の編集によって指定する・・・・編集された文字情報に対応する音声を、編集内容に応じた出力態様の音声に合成する」と記載されているのみであり、引用例に記載の発明と比して、本願発明に特有の構成は認められない。そうすると引用例に記載のような文字の表示位置の高低の２値の制御態様をも含むこととなり、上記相違点を格別な相違とすることはできない。
　そして、本願発明の構成に基づく効果について検討してみても格別顕著なものがあるとはいえない。　　
　　　　　　　　　　　　　　　　　　　　
第４　【むすび】
　したがって、本願の請求項１に係る発明は、引用例に記載された発明に基づいて当業者が容易に発明をすることができたものであるから、本願発明は、特許法第２９条第２項の規定に該当し特許を受けることができない。
　よって、結論のとおり審決する。